(57)【要約】【課題】建物の庇に取付ける場合であっても意匠性で優れ、ユニットどうしの近接配置が可能になると共に、外部配線が簡素化した構成の太陽電池モジュールユニットを提供する。【解決手段】太陽電池モジュール１３を、矩形をなす２枚のガラスパネル２１Ａ、２１Ｂの間に発電素子１９を挟持すると共に、モジュール１３の一端部の端面に端子板２２Ａ、２２Ｂを固着した構造とする。モジュール１３の一端部の表裏面にシールテープ３７を貼付する。モジュール１３の一端部に装着する枠材１４は、一端部にシールテープ３７を介して嵌合する嵌合溝２８を有すると共に、嵌合溝２８に、端子板２２Ａ，２２Ｂを覆うスペースを有する。モジュール１３の外部接続用のコネクタ接続ケーブル２３Ａ、２３Ｂを、枠材１４に設けた孔２７ｄを通してコネクタ２４Ａ，２４Ｂを枠材１４の外部に引き出す。【選択図】図７
2014136914.tif 000002
【特許請求の範囲】
【請求項１】
建物に取付けられる太陽電池モジュールユニットであって、
太陽電池モジュールを、矩形をなす２枚のガラスパネルの間に発電素子を挟持すると共に、モジュールの一端部の端面に端子板を固着した構造とし、
前記太陽電池モジュールの前記一端部の表裏面にシールテープを貼付し、
前記太陽電池モジュールを覆う枠材のうち、前記一端部に装着する枠材は、前記太陽電池モジュールの前記一端部に前記シールテープを介して嵌合する嵌合溝を有すると共に、前記嵌合溝に、前記端子板を覆うスペースを有し、
前記太陽電池モジュールの外部接続用コネクタに接続するケーブルを、前記一端部に装着する前記枠材に設けた孔を通して前記枠材の外部に引き出したことを特徴とする太陽電池モジュールユニット。
【請求項２】
請求項１に記載の太陽電池モジュールユニットにおいて、
前記一端部に装着する枠材を、互いに組み合わされる太陽電池モジュールの裏面側の第１の枠材と、表面側の第２の枠材とにより構成すると共に、前記第１の枠材と前記第２の枠材との間で前記嵌合溝を形成し、
前記第２の枠材に前記コネクタを通す孔を設けたことを特徴とする太陽電池モジュールユニット。
【請求項３】
請求項１または２に記載の太陽電池モジュールユニットにおいて、
前記太陽電池モジュールの前記一端部の反対側の端部の表裏面にもシールテープを貼付し、前記反対側端部に装着する枠材に前記シールテープを介して前記反対側端部に嵌合する嵌合溝を備え、
前記一端部と反対側の端部にそれぞれ嵌合する枠材の各嵌合溝の開口端側に、先端側の開口幅を大きくしたテーパー部を形成したことを特徴とする太陽電池モジュールユニット。
【発明の詳細な説明】
【技術分野】
【０００１】
本発明は、建物に設置される太陽電池モジュールユニットに係わり、特にビルの外壁に庇として取付ける場合に好適なものに関する。
【背景技術】
【０００２】
太陽電池モジュールユニットとして、例えば特許文献１に記載のように、枠に設けた溝に、太陽電池モジュールの端部をコ字形のシール材を介して嵌合した構成のものがある。このような構成をとる場合、配線の引き出しはユニットの下面から行なうことになる。
【先行技術文献】
【特許文献】
【０００３】
【特許文献１】特開２０００−１１４５７０号公報
【発明の概要】
【発明が解決しようとする課題】
【０００４】
しかしながら、このような従来構造によると、これを建物に設ける庇に取付ける場合、端子板やコネクタがユニットの下面に引き出されるため、意匠面で劣り、このような問題を解決するには、新たにユニット下面に他の覆い板を設ける必要がある上、複数のユニット間を電気的に接続するための配線接続が煩雑化するという問題点がある。
【０００５】
本発明は、上記問題点に鑑み、建物の庇に取付ける場合であっても意匠性で優れ、ユニットどうしの近接配置が可能になると共に、外部配線が簡素化した構成の太陽電池モジュールユニットを提供することを目的とする。
【課題を解決するための手段】
【０００６】
請求項１の太陽電池モジュールユニットは、建物に取付けられる太陽電池モジュールユニットであって、
太陽電池モジュールを、矩形をなす２枚のガラスパネルの間に発電素子を挟持すると共に、モジュールの一端部の端面に端子板を固着した構造とし、
前記太陽電池モジュールの前記一端部の表裏面にシールテープを貼付し、
前記太陽電池モジュールを覆う枠材のうち、前記一端部に装着する枠材は、前記太陽電池モジュールの前記一端部に前記シールテープを介して嵌合する嵌合溝を有すると共に、前記嵌合溝に、前記端子板を覆うスペースを有し、
前記太陽電池モジュールの外部接続用コネクタに接続するケーブルを、前記一端部に装着する前記枠材に設けた孔を通して前記枠材の外部に引き出したことを特徴とする。
【０００７】
請求項２の太陽電池モジュールユニットは、請求項１に記載の太陽電池モジュールユニットにおいて、
前記一端部に装着する枠材を、互いに組み合わされる太陽電池モジュールの裏面側の第１の枠材と、表面側の第２の枠材とにより構成すると共に、前記第１の枠材と前記第２の枠材との間で前記嵌合溝を形成し、
前記第２の枠に前記コネクタを通す孔を設けたことを特徴とする。
【０００８】
請求項３の太陽電池モジュールユニットは、請求項１または２に記載の太陽電池モジュールユニットにおいて、
前記太陽電池モジュールの前記一端部の反対側の端部の表裏面にもシールテープを貼付し、前記反対側端部に装着する枠材に前記シールテープを介して前記反対側端部に嵌合する嵌合溝を備え、
前記一端部と反対側の端部にそれぞれ装着する枠材の各嵌合溝の開口端側に、先端側の開口幅を大きくしたテーパー部を形成したことを特徴とする。
【発明の効果】
【０００９】
請求項１の発明によれば、太陽電池モジュールの片側の端面に端子板を設けると共に、この端子板を上枠材で覆う構造としたので、端子板が外部に露出せず、太陽電池モジュールの裏面にも端子板が露出しないため、外観が向上する。また、コネクタが上枠材から孔を通して外部に引き出された構造としたので、ユニットを庇として横並びに設けた場合であっても隣接するユニットのコネクタ間の接続が容易となると共に、ユニット間の近接配置が可能となる。
【００１０】
請求項２の発明によれば、端子板を固着した端面に装着する枠材を、第１の枠材と第２の枠材との間でモジュールに嵌合する嵌合溝を形成する分割構造にしたので、コネクタが嵌合溝より大きい場合であっても、この枠材を太陽電池モジュールに組み付ける前に、コネクタを第２の枠材に設けた孔に通しておき、その後、第１の枠材と第２の枠材とを組み合わせて太陽電池モジュールに組み付けることにより、ユニットを構成することが可能となる。
【００１１】
請求項３の発明によれば、嵌合溝の先端を先拡がりのテーパー形とし、この嵌合溝を、太陽電池モジュールの端部にシールテープを介して嵌めるようにしたので、枠材を太陽電池モジュールに対して強い力で押し嵌めることが可能となり、高い水密性の構造を実現することができる。
【図面の簡単な説明】
【００１２】
【図１】本発明の太陽電池モジュールユニットの一実施の形態を示すビルの斜視図である。
【図２】図１の部分拡大図である。
【図３】本実施の形態の太陽電池モジュールユニットをビルの庇としてカーテンウォールの縦枠に取付けた状態を示す縦断面図である。
【図４】図３の部分拡大図である。
【図５】本実施の形態の太陽電池モジュールユニットをビルの庇としてカーテンウォールに取付けた状態を示す横断面図である。
【図６】（Ａ）は本実施の形態の太陽電池モジュールユニットを示す平面図、（Ｂ）は（Ａ）のＹ矢視図である。
【図７】（Ａ）は図６（Ｂ）のＦ−Ｆ拡大断面図、（Ｂ）はユニットの上側部分を示す拡大断面図である。
【図８】本実施の形態のユニットの下側部分の拡大断面図である。
【図９】（Ａ）、（Ｂ）はそれぞれモジュールの上下端部の枠体との嵌合部の拡大断面図である。
【図１０】本実施の形態の太陽電池モジュールユニットの組立工程図である。
【図１１】図５の部分拡大断面図である。
【図１２】図３のＥ−Ｅ拡大断面図である。
【図１３】本実施の形態の太陽電池モジュールユニットをカーテンウォールの横枠に取付けた状態を示す縦断面図である。
【発明を実施するための形態】
【００１３】
図１は本発明の太陽電池モジュールユニット１の適用例を示すビルの斜視図、図２はその部分拡大図である。図１、図２に示すように、太陽電池モジュールユニット１は、庇の役目も果たすものであり、ビルの外壁を構成するカーテンウォール２に取付けられるものである。図１に示すように、各階において、各カーテンウォール２ごとに複数枚のユニット１が横並びに取付けられ、隣接して配置されるユニット１のケーブルどうしを直列に接続し、ビルの片側等に縦に配線するケーブル３を通して各階のユニットどうしが接続されるとともに、１グループとなる複数階に共通のケーブル３も配線され、全体として太陽電池モジュールの直流出力がビル内に設置したパワーコンディショナー４に集約され、ここで直流を交流に変換する等の処理を行なう。
【００１４】
カーテンウォール２には、予め工場においてカーテンウォールがユニットとして組まれて施工現場において互いに外壁として躯体に取付けられるユニット式カーテンウォールと、施工現場においてカーテンウォールとして組立てられるノックダウン方式のものがあるが、本例ではノックダウン方式のものを示している。このカーテンウォール２は、鉄筋コンクリート製床５等の躯体にブラケット１２を介して取付けられる（図５の横断面図参照）。
【００１５】
図２に示すように、このカーテンウォール２の枠体は、隣接する縦枠６，６の間に各階対応の横枠７と、上下の横枠７，７間の横枠８とを備える。そして、左右の縦枠６，６と、中間の横枠８と、その下の横枠７で囲まれた枠内にペアガラス９が組み込まれて光透過壁を構成し（図３の縦断面図参照）、左右の縦枠６，６と、中間の横枠８と、その上の横枠７とで囲まれた枠内にガラスパネル１０と耐火ボード１１とが組み込まれて遮光壁を構成する（図３、図５参照）。縦枠６と横枠７，８はいずれも金属製押出形材でなる。
【００１６】
図６（Ａ）はユニット１を示す平面図、図６（Ｂ）は図６（Ａ）のＹ矢視図である。また、図７（Ａ）は図６（Ｂ）のＦ−Ｆ断面図、図７（Ｂ）は図７（Ａ）の部分拡大図である。また、図８は図７（Ｂ）に示すモジュール端部の反対側の端部を示す拡大断面図、図９（Ａ）、（Ｂ）はそれぞれモジュール両端部のテーパー部を示す部分拡大図である。このユニット１は、図６（Ａ）に示すように、太陽電池モジュール１３を、ケーブル引き出し側となる一端部の枠材１４（以下の説明ではこの枠材１４を上枠材と称す。）と、その反対側の枠材１５（以下これを下枠材と称す。）と、左右の縦枠材１６，１６とで組まれたユニット枠１７で囲んで構成される。これらの枠材１４〜１６はいずれも押出形材でなる。
【００１７】
太陽電池モジュール１３は、図６（Ａ）、図７（Ａ）、（Ｂ）に示すように、縦横に配列された複数の発電素子１９を含む樹脂層２０を表裏面のガラスパネル２１Ａ，２１Ｂで挟んで一体化し、その上側端面に端子板２２Ａ，２２Ｂおよびダイオード２５を固着すると共に、各端子板２２Ａ，２２Ｂにそれぞれケーブル２３Ａ，２３Ｂを介して接続されたコネクタ２４Ａ，２４Ｂを備えたものである。ダイオード２５は、互いに直列に接続される複数の発電素子１９のうち、発電しない素子についてはバイパス回路を構成して発電している素子のみの発電電圧を外部に導くために設けられたものである。
【００１８】
本実施の形態においては、ユニット枠１７を構成する上枠材１４は、図７（Ａ）、（Ｂ）に示すように、太陽電池モジュール１３の裏面側に位置させる第１の枠材２６と、この第１の枠材２６に組合わされて太陽電池モジュール１３の表面側を押さえる第２の枠材２７とにより構成する。そして、第１の枠材２６と第２の枠材２７との間に太陽電池モジュール１３の上端部に嵌合する嵌合溝２８を形成する。この嵌合溝２８は、端子板２２Ａ，２２Ｂおよびダイオード２５を収容するスペースを有する。
【００１９】
第１の枠材２６と第２の枠材２７には互いにこれらを組み合わせるための係合部２６ａ，２６ｂおよび２７ａ，２７ｂを設ける。また、これらの第１の枠材２６、第２の枠材２７には、縦枠１６をタッピングねじ３０，３１（図６（Ａ）参照）をねじ込んで固定するためのタッピングホール２６ｃ，２７ｃを設ける。同様に、図８に示すように、下枠材１５にもモジュール１３の嵌合溝３８を形成し、この嵌合溝３８の奥部にセッティングブロック２９を嵌め、モジュール１３の下端面をこのセッティングブロック２９に当接させて嵌合溝３８にモジュール１３を嵌合する。この下枠材１５には縦枠材１６をタッピングねじ３２，３３（図６（Ａ）参照）をねじ込んで固定するためのタッピングホール１５ａ，１５ｂを設ける。
【００２０】
図６（Ａ）、図７（Ｂ）に示すように、第２の枠材２７にはコネクタ２４Ａ，２４Ｂに接続されるケーブル２３Ａ，２３Ｂをそれぞれ通す孔２７ｄを設ける。また、この第２の枠材２７にはコネクタ２４Ａ，２４Ｂに接続されたケーブル２３Ａ，２３Ｂや、同じ階について共通に設けられる戻りケーブル２３Ｃ（同階について互いに直列に接続されたユニット１のうち、最も端部となるユニット１からビルの反対側の端部に導かれるケーブル）を載せるケーブル載置部２７ｅを備える。また、第２の枠材２７には、このユニット１をカーテンウォール２の横枠８に後述のブラケット３４（図１３参照）を介して取付けるためのブラケット取付け溝２７ｆ，２７ｇを備える。
【００２１】
第１の枠材２６には、図４に示すように、カーテンウォール２への取付けブラケット３５にボルト３６によってユニット１を固定するため、ボルト３６の頭部３６ａを嵌め込む取付け溝２６ｄを設ける。また、縦枠材１６には、ユニット１を前記ブラケット３５に固定するためのボルト３９の頭部３９ａを嵌める取付け溝１６ａを設ける。
【００２２】
図７（Ｂ）、図８に示すように、太陽電池モジュール１３の上側端部および下側端部の表裏面には、横幅方向の全長にわたり、ユニット枠１７との間の水密性を確保して、ガラスパネル２１Ａ，２１Ｂ間への水の浸入を防止するためのシールテープ３７を添付する。そして、上枠材１４の嵌合溝２８と下枠材１５の嵌合溝３８をシールテープ３７を介して太陽電池モジュール１３の上側端部、下側端部に嵌合する。
【００２３】
図９（Ａ）に示すように、上枠材１４に設けた嵌合溝２８の開口端側には、それぞれ第１の枠材２６の傾斜面２６ｅと第２の枠材２７に設けた傾斜面２７ｈとにより、先端側の開口幅を大きくしたテーパー部を形成する。また、図９（Ｂ）に示すように、下枠材１５に設けた嵌合溝３８の開口端側にも、それぞれ傾斜面１５ｃ，１５ｄにより、先端側の開口幅を大きくしたテーパー部を形成する。
【００２４】
図６（Ａ）、図７（Ａ）において、４０は下枠材１５の全長にわたって付加的に取付けられる押出形材でなる補助枠材である。この補助枠材４０は、ユニット１上に積もる雪の落下を防ぐために必要に応じて設けられるものである。この補助枠材４０は、図８に示すように、下枠材１５の室外側端面に形成した係合部１５ｅ，１５ｆに補助枠材４０に設けた係合部４０ａ，４０ｂを係止させ、タッピングねじ等の固定具４１によって係合部４０ａ，１５ｄどうしを結合することにより下枠材１５に固定する。
【００２５】
この補助枠材４０は下枠材１５の表面より低い位置に板状部４０ｃを備えると共に、この板状部４０ｃの室外側に雪の落下防止用の立上げ片４０ｄを備える。また、板状部４０ｃの室外側である立ち上げ片４０ｄの根本部には、図６（Ａ)に示すように複数の水抜き孔４０ｅを分散して設ける。このように水抜き孔４０ｅを分散して配設する理由は、補助枠材４０に捻れや曲りがあっても補助枠材４０上のどの箇所にも水が残留しないようにするためである。この水抜き孔４０ｅを通って中空部４０ｆに入った水は補助枠材４０の両端から流下する構成を有する。
【００２６】
図１０にこのユニット１の組立工程を示す。図１０（Ａ）に示すように、太陽電池モジュール１３にはその上側端部、下側端部の表裏面にそれぞれ全長にわたって両面テープでなるシールテープ３７を添付しておく。また、第２の枠材２７の孔２７ｄ，２７ｄに、モジュール１３のコネクタ２４Ａ，２４Ｂおよび各コネクタ２４Ａ，２４Ｂに接続されたケーブル２３Ａ，２３Ｂを通しておく。
【００２７】
続いて図１０（Ｂ）に示すように、第１の枠材２６と第２の枠材２７とを図７で示したように組み合わせる。また、図９に示したように、予め補助枠材４０に下枠材１５に取付けておき、下枠材１５の嵌合溝３８を、モジュール１３の下側端部にシールテープ３７を介して押し嵌めする。また、図１０（Ｃ）に示すように、第１の枠材２６と第２の枠材２７を組み合わせて構成した上枠材１４の嵌合溝２８を、モジュール１３の上側端部にシールテープ３７を介して押し嵌めする。その後、左右の縦枠材１６を、上枠材１４と下枠材１５にそれぞれタッピングねじ３０，３１および３２，３３によって結合する。
【００２８】
なお、図１０（Ｂ）、（Ｃ）に示すように、ケーブル２３Ａ，２３Ｂを第２の枠材２７の孔２７ｄに通した後、ケーブル２３Ａ，２３Ｂに孔２７ｄを塞ぐ蓋４３を取付けておき、縦枠材１６の組み付けが完了した後にこの蓋４３で孔２７ｄを塞いで水密性を保つ。この蓋４３は可撓性を有する材料でなり、ケーブル２３Ａ，２３Ｂに嵌めるための切り込みを有すると共に、孔２７ｄに嵌める部分を有するもので、この蓋４３にゴムでなる締め付け材を被せることにより、切り込み部分が閉塞され、ケーブル２３Ａ，２３Ｂに固定されるものである。
【００２９】
図１１はユニット取付け用ブラケット３５のカーテンウォール２の縦枠６に対する取付け構造を示す平面図であり、この図１１と図４に示すように、縦枠６にはその室外側端部にユニット取付けのために左右に延出させた取付け板部６ａを有し、この取付け板部６ａにそれぞれブラケット３５を取付けるためのボルト４５を挿通する貫通孔６ｂを設ける。ブラケット３５は縦板部３５ａとその上端から先端側が下がるように傾斜させたユニット取付け板部３５ｂとを備えた曲成板でなる。そして縦板部３５ａにボルト４５を挿通する貫通孔３５ｃを設けると共に、ユニット取付け板部３５ｂにユニット取付けのためのボルト３６，３９をそれぞれ挿通するための貫通孔３５ｄ，３５ｅを設ける。
【００３０】
そして、図４および図１１に示すように、縦枠６の取付け板部６ａに設けた貫通孔６ｂおよびブラケット３５に設けた貫通孔３５ｃにボルト４５を通し、ボルト４５にナット４６を螺合して締結することにより、ブラケット３５を縦枠６に固定する。その後、図４に示すように、ユニット１の第１の枠材２６の取付け溝２６ｄに頭部３６ａを嵌めたボルト３６をブラケット３５の貫通孔３５ｄに通すと共に、図１２にも示すように、ユニット１の縦枠材１６の取付け溝１６ａに頭部３９ａを嵌めたボルト３９をブラケット３５の貫通孔３５ｅに通し、それぞれボルト３６，３９にナット４７，４８を螺合して締結することにより、ユニット１の端部を縦枠６に固定する。このような作業をユニット１の両端について行なうことにより、ユニット１がカーテンウォール２の外壁に取付けられる。
【００３１】
図４において、５０はユニット１の上枠材１４とカーテンウォール２の外壁との間の隙間を覆ために、横枠８に取付けた押出形材でなるカバーである。５１はこのカバー５０を横枠８に取付けるため、横枠８の室外側端部にねじ等の固定具５２により取付けた押出形材でなる取付け板である。カバー５０はこの取付け板５２にねじ等の固定具５３により固定する。このカバー５０は上枠材１４とカーテンウォール２の外壁との間を覆う幅を有し、カバー５０の室外側端部には水のカバー５０内への浸入を防止するシール材５４を設ける。このカバー５０は第２の枠材２７のケーブル載置部２７ｅ上のケーブル２３Ｃやコネクタ２４Ａ，２４Ｂを覆って保護する。
【００３２】
上記例においては、ユニット１をカーテンウォール２の縦枠６に取付けたが、図１３に示すように、このユニット１を横枠８に取付けるようにしてもよい。この横枠８へのユニット１の取付けのためのブラケット３４は短手方向の断面形状が略Ｕ字形を有する。そして、第２の枠材２７の室内側の上下に設けた取付け溝２７ｆ、２７ｇにブラケット３４の取付け板部３４ａの上下端を嵌合すると共に、ねじ等の固定具５５によりこのブラケット３４を第２の枠材２７に固定して取付ける。一方、横枠８の室外側端部には、このブラケット３４を固定するボルト５６の頭部５６ａを嵌める取付け溝８ａを設け、このボルト５６をブラケット３４の縦板部３４ｂに設けた貫通孔３４ｃに通し、このボルト５６にナット５７を螺合し締結することにより、ユニット１を横枠８に取付ける。カバー５０は横枠８に設けた取付け板部８ｂに係合させて固定具５３により固定して取付ける。
【００３３】
図１３に示すように、横枠８にユニット１を取付ける構成とすれば、ユニット１の左右の幅が縦枠６，６間の幅に達しない場合であっても、ユニット１の取付けが可能になるという利点がある。なお、本実施の形態においては、このブラケット３４の長さを、図６（Ａ）に示した孔２７ｄ，２７ｄの間隔より短く形成し、ブラケット３４は第２の枠材２７の孔２７ｄ，２７ｄの間に位置するように取付け溝２７ｆ，２７ｇに予め嵌着しておく。これにより、ブラケット３４にはコネクタ２４Ａ，２４Ｂを通す孔等を加工する必要がなくなり、加工費を削減できる。ユニット１を取付ける横枠は、この実施の形態のように中間の横枠８とするのではなく、各階のフロアに対応した横枠７としてもよい。
【００３４】
以上に説明したように、本実施の形態のユニット１は、モジュール１３の上側端面に端子板２２Ａ，２２Ｂを設けると共に、この端子板２２Ａ，２２Ｂを上枠材１４で覆う構造としたので、端子板２２Ａ，２２Ｂが外部に露出せず、モジュール１３の裏面にも端子板２２Ａ，２２Ｂが露出しないため、庇として用いた場合に外観が向上する。また、コネクタ２４Ａ，２４Ｂが上枠材１４から孔２７ｄを通して外部に引き出される構造としたので、ユニット１を庇として横並びに場合であっても隣接するユニット１のコネクタ２４Ａ，２４Ｂ間の接続が容易となると共に、ユニット間の近接配置が可能となる。
【００３５】
また、本実施の形態においては、上枠材１４を第１の枠材２６と第２の枠材２７とからなる分割構造にしたので、コネクタ２４Ａ，２４Ｂが嵌合溝２８より大きい場合であっても、上枠材１４をモジュール１３に組み付ける前に、コネクタ２４Ａ，２４Ｂを第２の枠材２７に設けた孔２７ｄに通しておき、その後、第１の枠材２６と第２の枠材２７とを組み合わせてモジュール１３に組み付けることにより、上枠材１４の嵌合溝２８をモジュール１３の端部に嵌合した構造を実現することが可能となる。
【００３６】
また、本実施の形態においては、上枠材１４および下枠材１５の嵌合溝２８，３８の先端を先拡がりのテーパー形とし、これらの嵌合溝２８，３８を、モジュール１３の端部にシールテープ３７を介して嵌めるようにしたので、上枠材１４や下枠材１５をモジュール１３に対して強い力で押し嵌めることが可能となり、高い水密性の構造を実現することができる。
【００３７】
以上本発明を実施の形態により説明したが、本発明は、カーテンウォールがユニット式である場合にもあるいは一般住宅にも適用できる。また、本発明を実施する場合、本発明の要旨を逸脱しない範囲において、構成部材やその組み合わせについて、種々の変更、付加が可能である。
【符号の説明】
【００３８】
１：太陽電池モジュールユニット、２：カーテンウォール、３：ケーブル、４：パワーコンディショナー、５：床、６：縦枠、７，８：横枠、９：ぺアガラス、１０：ガラスパネル、１１：耐火ボード、１３：太陽電池モジュール、１４：上枠材、１５：下枠材、１６：縦枠材、１７：ユニット枠、１９：発電素子、２０：樹脂層、２１Ａ，２１Ｂ：ガラスパネル、２２Ａ，２２Ｂ：端子板、２３Ａ，２３Ｂ，２３Ｃ：ケーブル、２４Ａ，２４Ｂ：コネクタ、２５：ダイオード、２６：第１の枠材、２７：第２の枠材、２７ｄ：孔、２８：嵌合溝、３０〜３３：タッピングねじ，３４，３５：ブラケット、３６，３９：ボルト、３７：シールテープ、３８：嵌合溝、４０：補助枠材、４３：蓋、４５：ボルト、４６，４７，４８：ナット、５０：カバー、５５：固定具、５６：ボルト、５７：ナット
【図１】
2014136914.tif 000003
【図２】
2014136914.tif 000004
【図３】
2014136914.tif 000005
【図４】
2014136914.tif 000006
【図５】
2014136914.tif 000007
【図６】
2014136914.tif 000008
【図７】
2014136914.tif 000009
【図８】
2014136914.tif 000010
【図９】
2014136914.tif 000011
【図１０】
2014136914.tif 000012
【図１１】
2014136914.tif 000013
【図１２】
2014136914.tif 000014
【図１３】
2014136914.tif 000015